(57)【要約】【課題】軸筒内部に収納した筆記体を、長さの異なる別の筆記体に交換することができ、繰出し及び収納動作時に、目視だけでなく、触感でも動作の終了を感知することができる回転繰出式筆記具を提供すること。【解決手段】回動カム１６が回転することで筆記体を軸筒４の前端開口部３ｄから出没させるカム機構７を備え、カム機構７は筆記体を着脱自在に保持する摺動コマ１７を具備し、回転カム７の内側面に、軸方向に対して傾斜して延びるカム溝１６ｃが形成され、摺動コマ１７は、軸筒４に対して前後動自在且つ回動不能に係止されると共に、カム溝１６ｃに沿って摺動するよう回転カム１６に係止され、カム溝１６ｃが、少なくとも２つ以上の繰出用カム斜面１６ｄと、一方の繰出用カム斜面１６ｄ１と他方の繰出用カム斜面１６ｄ２との間に形成された長さ調整用カム斜面１６ｅと、長さ調整用カム斜面１６ｅの両端部に連接して形成された段部１６ｆと、を備える。【選択図】図１
2019089271.tif 000002
【特許請求の範囲】
【請求項１】
軸筒と、該軸筒内に前後動自在に配設された筆記体と、前記軸筒の後部に回動自在に係止された回転カムと、前記回動カムが回転することで前記筆記体を該軸筒の前端開口部から出没させる回転カム機構と、を備えた回転繰出式筆記具であって、
前記回転カム機構が、前記回転カムと、前記筆記体を着脱自在に保持する摺動コマと、を具備し、
前記回転カムの側面に、軸方向に対して傾斜して延びるカム溝が形成されており、
前記摺動コマは、前記軸筒に対して前後動自在且つ回動不能に係止されると共に、前記カム溝に沿って摺動するよう前記回転カムに係止され、
前記回転カム溝が、少なくとも２つ以上の繰出用カム斜面と、一方の繰出用カム斜面と他方の繰出用カム斜面との間に形成された長さ調整用カム斜面と、該長さ調整用カム斜面の両端部に連接して形成された段部と、を備え、
前記回転カムが回動した際、前記摺動コマが前記一方の繰出用カム斜面に対して摺動することで該摺動コマが前後動し、前記筆記体を前記軸筒の前端開口部から出没させると共に、前記回転カムが回動した際、前記一方の繰出用カム斜面と摺接している前記摺動コマを、前記長さ調整用カム斜面を介して前記他方の繰出用カム斜面に移動させることで、前記軸筒内に、長さの異なる他の筆記体を収容可能に構成したことを特徴とする回転繰出式筆記具。
【請求項２】
前記軸筒の内面に形成した前方内段部と前記摺動コマの前端部との間にコイルスプリングを張架して、該摺動コマを後方に弾発したことを特徴とする請求項１に記載の回転繰出式筆記具。
【発明の詳細な説明】
【技術分野】
【０００１】
本発明は、軸筒に対して回転体を回転させることで筆記体の前端部を該軸筒の先端開口部から出没可能な回転繰出式筆記具に関するものである。
【背景技術】
【０００２】
従来からこの種の回転繰出式筆記具は、例えば特許文献１に開示のように、前軸に対して後軸を一方向に回転させることで筆記具本体が外筒先端より突出し、反対方向へ回転することで外筒先端より筆記具本体（筆記体）が引き込まれる構造が知られている。
【０００３】
しかしながら、特許文献１のような回転繰出式筆記具にあっては、内部に収納する筆記具本体（筆記体）の長さに合わせて、回転筒のピンが移動する螺旋溝の長さが決められているため、長さが異なる筆記具本体（筆記体）を装着することができないものであった。
【０００４】
また、この問題を解決する技術として、本件出願人により発明された特許文献２が開示されている。
この特許文献２の棒状物繰出し装置では、軸筒の内部に長く延びる螺旋溝が形成されており、棒状部材を保持したスライダーの突起が螺旋溝に係合され、スライダーは軸筒内部に配設された内筒のスリットに支持され、内筒を回動することで棒状部材を軸筒の前端から繰出すことができる構造となっており、筆記により棒状部材が消耗して短くなっても、内筒を更に回転させることで棒状部材を繰出すことができるため、棒状部材の長さに係らず繰出すことができる。
【先行技術文献】
【特許文献】
【０００５】
【特許文献１】実開昭６３−８７０７２号公報
【特許文献２】特開２００９−０４５８４４号公報
【発明の概要】
【発明が解決しようとする課題】
【０００６】
確かに、特許文献２の螺旋溝の構造を、特許文献１の螺旋溝に採用し、螺旋溝を長く延ばすことで長さの異なる筆記具本体（筆記体）が装着可能になる。しかしながら、螺旋溝を単純に長く延ばした状態では、使用者は筆記具本体の外筒先端からの繰出し及び収納が完了したかどうかを目視でしか確認できないため、繰出し動作時に必要以上に後軸を回転させることで、内部部品に負荷が掛かり破損が生ずる虞があった。また、筆記具本体（筆記体）を収納する場合も、必要以上に後軸を回して筆記具本体を戻しすぎることで、次の繰出し動作時に通常以上に後軸を回転させる必要が生じる虞があった。
【０００７】
本発明は、前記問題を鑑みてなされたものであって、軸筒内部に収納した筆記体を、長さの異なる別の筆記体に交換することができ、更に、繰出し及び収納動作時に、目視だけでなく、触感でも動作の終了を感知することができる回転繰出式筆記具を提供することを目的とした。
【課題を解決するための手段】
【０００８】
本発明は、
「１．軸筒と、該軸筒内に前後動自在に配設された筆記体と、前記軸筒の後部に回動自在に係止された回転カムと、前記回動カムが回転することで前記筆記体を該軸筒の前端開口部から出没させる回転カム機構と、を備えた回転繰出式筆記具であって、
前記回転カム機構が、前記回転カムと、前記筆記体を着脱自在に保持する摺動コマと、を具備し、
前記回転カムの側面に、軸方向に対して傾斜して延びるカム溝が形成されており、
前記摺動コマは、前記軸筒に対して前後動自在且つ回動不能に係止されると共に、前記カム溝に沿って摺動するよう前記回転カムに係止され、
前記回転カム溝が、少なくとも２つ以上の繰出用カム斜面と、一方の繰出用カム斜面と他方の繰出用カム斜面との間に形成された長さ調整用カム斜面と、該長さ調整用カム斜面の両端部に連接して形成された段部と、を備え、
前記回転カムが回動した際、前記摺動コマが前記一方の繰出用カム斜面に対して摺動することで該摺動コマが前後動し、前記筆記体を前記軸筒の前端開口部から出没させると共に、前記回転カムが回動した際、前記一方の繰出用カム斜面と摺接している前記摺動コマを、前記長さ調整用カム斜面を介して前記他方の繰出用カム斜面に移動させることで、前記軸筒内に、長さの異なる他の筆記体を収容可能に構成したことを特徴とする回転繰出式筆記具。
２．前記軸筒の内面に形成した前方内段部と前記摺動コマの前端部との間にコイルスプリングを張架して、該摺動コマを後方に弾発したことを特徴とする前記１項に記載の回転繰出式筆記具。」である。
尚、本発明における前後動不能及び回動不能という状態には、各部品のもつ寸法公差によって発生する微小なガタによる前後動及び回転は含まないものとする。
【０００９】
本発明によれば、互いに隣り合う２つの繰出用カム斜面の間に長さ調整用カム斜面を形成することで、収納している筆記体を長さの異なる筆記体に交換することができ、更に、長さ調整用カム斜面の両端部に段部を形成することで、回転カムを回動して筆記体を軸筒の前端開口部から出没させる際、摺動コマのカム突起が回転カムの段部に当接することで回動時の回転抵抗が変わり、軸筒からの筆記体の突出が完了したこと、及び、軸筒への筆記体の没入が完了したことを目視だけでなく触感で認識することができる。
【００１０】
回転カムに設ける段部は、使用者が回動抵抗を感じることができればその形状は特に限定されることは無く、階段状に形成してもよく、繰出用カム斜面の傾斜角度を変化させて段状に形成してもよい。
また、段部には後方へ向って凹状に形成した凹部を形成してもよく、この場合、摺動コマのカム突起が凹部に嵌まることで出没動作の完了をより認識し易くなると共に、筆記時の筆圧や、保管時に回転カムに何かが接触して回転する方向へ力が掛かっても、使用者の意図に反して出没されてしまうことを防止することができる。
【００１１】
また、軸筒内部に設ける摺動溝は、軸筒内面に一体的に形成してもよく、摺動溝を形成した筒体を軸筒内部に圧入や接着等の手段で固着させて形成してもよい。
【００１２】
更に、軸筒の内面に形成した前方内段部と摺動コマの前端部との間にコイルスプリングを張架して、該摺動コマを後方に弾発することが好ましく、この場合、回転カムを回転することで軸筒の前端開口部から突出した筆記体を軸筒内に没入させる際、コイルスプリングの弾発力により摺動コマが後方へ押圧され、摺動コマにより回転カムの回転時の抵抗が低下して該回転カムが回転し易くなる効果を奏する。また、摺動コマが繰出用カム斜面に対して摺動する状態であればコイルスプリングの弾発力だけで回転カムを回転させて筆記体を軸筒内に没入させるよう構成してもよい。
【発明の効果】
【００１３】
本発明により、軸筒内部に収納した筆記体を長さの異なる別の筆記体に交換することができ、更に、繰出し及び収納動作時に、目視だけでなく、触感でも動作の終了を感知することができる回転繰出式筆記具を提供することができた。
【図面の簡単な説明】
【００１４】
【図１】実施例１の回転繰出式筆記具の縦断面図である。
【図２】スライド部材を先口に装着する状態を説明するための分解図である。
【図３】実施例１の回転カム機構を説明するための分解図である。
【図４】摺動コマに棒状ピンを挿着する際の状態を説明するための斜視図である。
【図５】回転カムのカム溝の展開図である。
【図６】回転カムのカム溝と摺動コマのカム突起の摺接状態を示す説明図であり、図６（ａ）は摺動コマのカム突起がカム溝の第一カム斜面の後端部に摺接している状態を示しており、図６（ｂ）は摺動コマのカム突起がカム溝の第一段部に摺接している状態を示しており、図６（ｃ）は摺動コマのカム突起がカム溝の第二段部に摺接している状態を示しており、図６（ｄ）は摺動コマのカム突起がカム溝の第三段部に摺接している状態を示している。
【図７】図１の状態から第１ボールペンレフィルの前端部を繰り出した状態を示す縦断面図である。
【図８】回転繰出式筆記具で筆跡を消去する状態を説明するための説明図である。
【図９】第２ボールペンレフィルを軸筒内に収納する状態を説明するための説明図である。
【図１０】第２ボールペンレフィルを軸筒内に収納した状態を示す縦断面図である。
【図１１】図１０の状態から第２ボールペンレフィルを前進させた状態を示す縦断面図である。
【図１２】図１１の状態から第２ボールペンレフィルの前端部を繰り出した状態を示す縦断面図である。
【図１３】図１２の状態で紙面Ｈに筆記する動作を説明するための要部拡大縦断面図である。
【００１５】
次に図面を参照しながら、本発明の回転繰出式筆記具を詳細に説明するが、本発明は以下の実施例に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１６】
実施例１
本実施例の回転繰出式筆記具１は、図１から図８に示すように、軸本体２の前方に配設した先口３を螺合することで軸筒４を形成してあり、先口３内に前後動可能に配設されたスライド部材５と、軸筒４内に前後動可能に配設されスライド部材５の前端開口部５ａから出没可能な第１ボールペンレフィル６（筆記体）と、軸本体２内に配設され第１ボールペンレフィル６を着脱自在に保持する回転カム機構７と、軸筒の後方に着脱自在に装着されたキャップ体８と、により構成してある。
【００１７】
第１ボールペンレフィル６は、図示はしてないが、チップ本体に設けたボール抱持室と、ボール抱持室の中央にインキ流通開口部と、このインキ流通開口部に連通する放射状に延び、チップ後部開口部に達しないインキ流通溝を有するとともに、ボール抱持室の底壁に、φ０．５ｍｍのタングステンカーバイド製のボールを載置し、前端傾斜部９ａの前端を内側にかしめることにより、ボールの一部がチップ先端縁より突出するように回転自在に抱持し、筆記先端部となるボールペンチップ９を、樹脂製のインキ収容筒１０の先端部に、チップホルダー１１を介して装着してある。また、インキ収容筒１０の後端部には尾栓を装着してある。また、ボールの後方には、ボールを常時、前方へ押圧する内スプリング（図示せず）を配設してある。
【００１８】
また、インキ収容筒１０内には、図示はしてないが、可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性インキと、このインキの後端に、グリース状のインキ追従体を直に収容してある。
【００１９】
この第１ボールペンレフィル６で筆記すると、ボールペンチップ９のボールの回転と筆圧によって、ボールが底壁側に移動して、チップ先端部の内壁とボールに隙間を生じ、インキを吐出して筆記することができる。
【００２０】
軸本体２は図１に示すように、筒状に形成してあり、前方開口部２ａには前方側から同じく筒状に形成した前方内筒１２の外周部１２ａを圧入固着して一体化してある。
また、前方内筒１２の前部内周部には雌螺子部１２ｂを形成してあり、後部内周部には内段部１２ｃ（軸筒の前方内段部）を形成してある。
【００２１】
先口３は図１及び図２に示すように、前後に貫通する内孔３ａが形成してあり、内孔３ａは中央部に内段部３ｂが形成され、前部内孔３ａ１に比べて後部内孔３ａ２の方が拡径した状態で形成してある。
また、内孔３ａには前後に摺動可能なスライド部材５が後方から挿入してあり、内段部３ｂとスライド部材５の外周部に形成した後部外段５ｂとの間に第１コイルスプリング１３（弾性部材）を張架して、第１コイルスプリング１３によりスライド部材５を後方に弾発してある。
【００２２】
更に、先口３の後部外周部には雄螺子部３ｃが形成してあり、雄螺子部３ｃを前方内筒１２の雌螺子部１２ｂに螺合することで、先口３を軸本体２に対して着脱自在に装着してある。
【００２３】
また、スライド部材５の内周部には、第１ボールペンレフィル６のボールペンチップ９の前端傾斜部９ａと当接し、且つ、内方へ向かって傾斜した前部内段５ｃが形成してある。
尚、前部内段５ｃの軸方向に対する傾斜角度と、チップ本体９の前端傾斜部９ｃの軸方向に対する傾斜角度と、の差は、チップ本体９の前端傾斜部９ｃとスライド部材５の前部内段５ｃとの隙間が小さく、安定した状態で当接するよう±５°以内に形成することが好ましい。本実施例では、チップ本体９の前端傾斜部９ｃの軸方向に対する傾斜角度は１７．５°で形成してあり、前部内段５ｃの傾斜角度は１５°で形成してある。
【００２４】
更に、先口３の後部内孔３ａ２には、リング状に形成され内周面に内突起１４ｂを備えたストッパリング１４を圧入してあり、ストッパリング１４の内孔１４ａとスライド部材５の後部に設けた鍔部５ｄとが摺接するよう形成してある。また、ストッパリング１４の内突起１４ｂとスライド部材５の後端部５ｅとを当接するよう構成することで、スライド部材５の後方への移動を制限して先口３から当該スライド部材５が抜けることを防止してある。
【００２５】
尚、本実施例では、図１の第１コイルスプリング１３の取付時の弾発力は１．６Ｎに設定してあり、第１ボールペンレフィル６の前端を先口３の前端開口部から突出させた図７の筆記時における弾発力は３．５Ｎに設定した。
【００２６】
軸本体２の後部内方には、図１及び図３に示すように、軸本体２の後方開口部から挿入され、筒状に形成された後方内筒１５が配設されており、後方内筒１５の前端内周部１５ａを前方内筒１２の後部外周面１２ｄに圧入することで、後方内筒１５を軸本体２に着脱不能に装着してある。
尚、後方内筒１５の側面には内外を貫通し軸方向に延びるスリット１５ｂを形成すると共に、後部に縮径された後段部１５ｃを形成してある。  
【００２７】
後方内筒１５の内方には、後部に外段部１６ａを備え筒状に形成された回転カム１６が配設してある。更に、回転カム１６の後部は、後方内筒１５の後方開口部から後方へ向って突出しており、後部外側面に外方へ向って突出するように形成された突起部１６ｂが、軸周方向に均等に配置されるように複数形成してある。
また、図３から図５に示すように、回転カム１６の側面には内外を貫通し軸方向（前後方向）に対して傾斜したカム溝１６ｃが形成してある。そして、カム溝１６ｃの両端部には繰出用カム斜面１６ｄ（第一カム斜面１６ｄ１、第二カム斜面１６ｄ２）が形成され、２つの繰出用カム斜面１６ｄの間には長さ調整用カム斜面１６ｅを形成してある。更に、長さ調整用カム斜面１６ｅと２つの繰出用カム斜面１６ｄとの境には軸周方向に沿って延びる段部１６ｆ（第一段部１６ｆ１、第二段部１６ｆ２）が形成してある。尚、第一カム斜面１６ｄ１の前端部にも同様に、軸周方向に沿って延びる段部１６ｆ（第三段部１６ｆ３）が形成してある。
更に、回転カム１６は、後方内筒１５の後部内段１５ｄと前方内筒１２の後端との間に配設することで、回転可能且つ前後動不能に構成してある。
【００２８】
回転カム１６の内方且つ第１ボールペンレフィル６の後方には、図１、図３及び図４に示すように、前部が筒状に形成された摺動コマ１７が配設されており、摺動コマ１７の側面に形成した孔部１７ｃには、棒状ピン１８を圧入装着してある。これにより、摺動コマ１７の側面から突出するカム突起１８ａが形成される。また、摺動コマ１７の前部内周部には、内方へ向って突出するように形成された内方突起１７ａと、内方突起１７ａの両側端に軸方向へ延びる長孔部１７ｂと、が形成してあり、レフィル支持部となる内方突起１７ａにより第１ボールペンレフィル６の外周部を狭持することで、摺動コマ１７で第１ボールペンレフィル６を着脱自在に把持してある。尚、長孔部１７ｂにより、内方突起１７ａが弾性変形し易くなるよう構成することで、第１ボールペンレフィルは適宜な力（０．５〜１．０Ｎ）で把持されている。
また、カム突起１８ａは、後方内筒１５のスリット１５ｂへ遊嵌すると共に、回転カム１６のカム溝１６ｃにも遊嵌させることで、カム突起１８ａがスリット１５ｂ及びカム溝１６ｃに対して摺動できるようにしてある。
【００２９】
摺動コマ１７の前端と前方内筒１２の段部１２ｃ（軸筒の前方内段部）との間には、図１に示すように、第２コイルスプリング１９が圧縮状態で配設してあり、第２コイルスプリング１９により軸筒に対して回転カム１６を後方に弾発してある。
尚、後方内筒１５と回転カム１６と摺動コマ１７と第２コイルスプリング１９（コイルスプリング）とにより、回転カム１６を回転させることで摺動コマ１６を前後動させ、第１ボールペンレフィル６を軸筒３の前端開口部３ｄから出没させるための回転カム機構７が構成される。
【００３０】
また、後方内筒１５の後段部１５ｃには、リング状に形成した固定リング２０が圧入装着してあり、回転カム１６の後部内孔には熱可塑性エラストマーで形成した摩擦体２２を着脱不能に係着してある。
【００３１】
更に、摩擦体２２の外方には固定リング２０の後部までを覆う蓋状に形成したキャップ体８が配設してあり、キャップ体８の内孔部８ａには嵌合リング２１が着脱不能に圧入装着してある。そして、嵌合リング２１を回転カム１６の突起部１６ｂに係合させることで、キャップ体８を回転カム１６に着脱自在に装着してある。
尚、嵌合リング２１の内周面と回転カム１６の突起部１６ｂとを係合した際の嵌合力は、キャップ体８を回転させた際に回転カム１６がキャップ体８に連動して回転するよう、５Ｎ以上の嵌合力を備えた状態に調整してある。
【００３２】
ここで、紙面Ｈに筆記した筆跡を熱変色するには、図８に示すとおり、回転カム１６に係合しているキャップ体８を取り外し、露出した摩擦体２２を第１ボールペンレフィル６が装着された状態の繰出式筆記具１で紙面Ｈに筆記した筆跡に圧接し、擦ることで発生する熱によって、熱変色性インキの筆跡を熱消色させることができる。
【００３３】
次に、図１、図６及び図７を用いて、第１ボールペンレフィル６の前端部を先口３（軸筒４）の前端開口部３ｄより突出させる状態を説明する。
図１の状態から、キャップ体８を右方向（図１における矢印方向）に回転させると、キャップ体８に係合している回転カム１６が連動して同右方向に回転し、後方内筒１５のスリット１５ｂ及び回転カム１６に形成したカム溝１６ｃの第一カム斜面１６ｄ１の後部に摺接しているカム突起１８ａ（図６（ａ）参照）が、第２コイルスプリング１９の弾発力に抗してスリット１５ｂ及び第一カム斜面１６ｄ１に摺接しつつ前方側に移動していく。
これに伴って、摺動コマ１７がカム突起１８ａと共に前方へと移動していき、摺動コマ１７によって把持されている第１ボールペンレフィル６も前進する。そして、第１ボールペンレフィル６のボールペンチップ９の前端傾斜部９ａに前部内段５ｃが当接しているスライド部材５も第１コイルスプリング１３の弾発力に抗して同時に前進し、先口３の前端開口部３ｄからボールペンチップ９の前端部とスライド部材５の前端部の両方が突出する図７の状態となる。
【００３４】
そして、図７の先口３の前端開口部３ｄからボールペンチップ９の前端部とスライド部材５の前端部の両方が突出した際には、図６（ｂ）に示すように、カム突起１８ａは第一カム斜面１６ｄ１に連接している段部１６ｆ１へ係止される。これによりボールペンチップ９（第１ボールペンレフィル６）の前端部とスライド部材５の前端部が先口３の前端開口部３ｄから突出した状態が維持される。更に、段部１６ｆ１は軸方向に対して直交する方向（円周方向）に延びていることから、カム突起１８ａが第一カム斜面１６ｄ１から段部１６ｆ１に移動した際の回転抵抗の変化により、使用者は第１ボールペンレフィル６の繰り出しが終了したことを目視だけでなく触感でも認識できる。
【００３５】
また、図７の状態からキャップ体８を左方向（図７における矢印方向）に回転させると、第１コイルスプリング１３及び第２コイルスプリング１９の弾発力によりスライド部材５、第１ボールペンレフィル６及び摺動コマ１７が後方へ押され、カム突起１８ａが第一カム斜面１６ｄ１に摺接しながら後方へ移動し、第１ボールペンレフィル６が軸筒４内に没入された図１の状態に戻る。
尚、図７の状態では、スライド部材５は第１コイルスプリング１３及び第２コイルスプリング１９の弾発力により後方へ弾発されているため、カム突起１８ａの摺接位置が第一段部１６ｆ１から第一カム斜面１６ｄ１に移ると、後はキャップ体８から手を離しても第１コイルスプリング１３及び第２コイルスプリング１９の弾発力だけで回転カム１６が回転し、第１ボールペンレフィル６は自動的に図１の状態まで後退するよう構成してある。
【００３６】
次に、回転繰出式筆記具１の第１ボールペンレフィル６（筆記体）を、レフィルの全長とチップの外径寸法が異なる第２ボールペンレフィル６０（他の筆記体）に交換し、回転繰出式筆記具１００に組み換えする動作を図１及び図６から図１１を用いて説明する。
【００３７】
第２ボールペンレフィル６０は、図示していないが、第１ボールペンレフィル６と同様に、ボール抱持室と、ボール抱持室の中央にインキ流通開口部と、このインキ流通開口部に連通する放射状に延び、チップ後部開口部に達しないインキ流通溝を有するとともに、ボール抱持室の底壁に、φ０．５ｍｍのタングステンカーバイド製のボールを載置し、チップ先端部を内側にかしめることにより、ボールの一部がチップ先端縁より突出するように回転自在に抱持し、筆記先端部となるボールペンチップ６１を、金属製のインキ収容筒６２の先端部に、直接装着してある。また、インキ収容筒６２の後端部には尾栓を装着してある。また、ボールの後方には、ボールを常時、押圧する内スプリング（図示せず）を配設してあり、インキ収容筒６２内には前述した第１ボールペンレフィル６に使用したインキと同仕様のものを収容してある。
【００３８】
尚、ボールペンチップ６１の外径寸法はボールペンチップ９に比べて小径で形成してある。具体的には、ボールペンチップ９の外径が２．５ｍｍで形成してあり、ボールペンチップ６１の外径は２．３ｍｍで形成してあることから０．２ｍｍ小径となる。
また、ボールペンチップ６１の前端傾斜部６１ａの軸方向に対する傾斜角度は、スライド部材５の前部内段５ｃの軸方向に対する傾斜角度１５°と同じく１５°で形成してあり、これにより前端傾斜部６１ａと前部内段５ｃは面全体で当接し、第二ボールペンレフィル６０（ボールペンチップ６１）はスライド部材５により安定した状態で支持される。
【００３９】
ここで、図１の状態から、先口３を軸本体２に対して回転させ、螺合を解除して該先口３を該軸本体２から取り外し、第１ボールペンレフィル６を軸本体２から前方へ引き抜くことで、第１ボールペンレフィル６を軸本体２から取り外すことができる。
そして、図９のように第２ボールペンレフィル６０を後端側から軸本体２の内部に挿入して摺動コマ１７の内方突起１７ａで把持させ、先口３を螺合により再度取り付けることで第２ボールペンレフィル６０が軸筒４内に装着された図１０の状態となる。
【００４０】
この時、第２ボールペンレフィル６０は第１ボールペンレフィル６と比べて全長が短いことから、図１０のようにボールペンチップ６１の先端は先口３の前端開口部３ａから大きく没入した状態となる。このため、キャップ体８を右方向へ回転させ、第一カム斜面１６ｄ１に摺接しているカム突起１８ａを、第一カム斜面１６ｄ１及び第一段部１６ｆ１を超えて長さ調整用カム斜面１６ｄに進め、更に、キャップ体８を回転させ、カム突起１８ａを第二段部１６ｆ２を経て第二カム斜面１６ｄ２の後部に摺接する図６（ｃ）の状態まで前進させることで、図１１に示すように、第１ボールペンレフィル６の没入状態と同様の位置まで第２ボールペンレフィル６０のボールペンチップ６１の前端部を前進させることができる。
【００４１】
そして、図１１の状態からキャップ体８を右方向（図１１における矢印方向）に回転させると、キャップ体８に係合している回転カム１６が連動して同右方向に回転し、スリット１５ｂ及び第二カム斜面１６ｄ２の後部に摺接しているカム突起１８ａが、第２コイルスプリング１９の弾発力に抗してスリット１５ｂ及び第二カム斜面１６ｄ２に摺接しつつ前方側に移動する。
これに伴って、摺動コマ１７がカム突起１８ａと共に前方へと移動していき、摺動コマ１７によって把持されている第２ボールペンレフィル６０も前進していく。そして、第２ボールペンレフィル６０のボールペンチップ６１の前端傾斜部６１ａに前部内段５ｃが当接しているスライド部材５も第１コイルスプリング１３の弾発力に抗して同時に前進し、先口３の前端開口部３ｄからボールペンチップ６１の前端部とスライド部材５の前端部の両方が突出する図１２の状態となる。
【００４２】
尚、第１ボールペンレフィル６の場合と同様に、図１２の先口３の前端開口部３ｄからボールペンチップ６１の前端部とスライド部材５の前端部の両方が突出した際、カム突起１８ａは第二カム斜面１６ｄ２の前端部に連接している第三段部１６ｆ３へ係止される図６（ｄ）の状態になる。これによりボールペンチップ６１の前端部とスライド部材５の前端部が先口３の前端開口部３ｄから突出した状態が維持される。また、このとき使用者は、カム突起１８ａが第二カム斜面１６ｄ２から第三段部１６ｆ３に移動した際の回転抵抗の変化により、第２ボールペンレフィル６０の繰り出しが終了したことを目視だけでなく触感でも認識することができる。
【００４３】
また、図１２の状態からキャップ体８を左方向（図１２における矢印方向）に回転させると、第１コイルスプリング１３及び第２コイルスプリング１９の弾発力により後方へ押されたスライド部材５、第１ボールペンレフィル６１及び摺動コマ１７は、カム突起１８ａが第二カム斜面１６ｄ２に摺接しながら後方へ移動し、ボールペンチップ６１（第２ボールペンレフィル６０）の前端が軸筒４内に没入された図１１の状態に戻る。
尚、第２ボールペンレフィル６０を没入させる際、使用者は、カム突起１８ａが第二カム斜面１６ｄ２から第二段部１６ｆ２に移動する際の回転抵抗の変化により、第２ボールペンレフィル６０の没入が終了したことを目視だけでなく触感でも認識でき、第２ボールペンレフィル６０を没入させすぎることを防止できる。
更に、第１ボールペンレフィル６の場合と同様に、図１２の状態では、スライド部材５は第１コイルスプリング１３及び第２コイルスプリング１９の弾発力により後方へ弾発されているため、カム突起１８ａの摺接位置が第三段部１６ｆ３から第二カム斜面１６ｄ２に移ると、後はキャップ体８から手を離しても第１コイルスプリング１３及び第２コイルスプリング１９の弾発力だけで回転カム１６が回転し、第２ボールペンレフィル６０は自動的に図１１の状態まで後退するよう構成してある。この際、第二カム斜面１６ｄ２に沿って後退したカム突起１８ａの摺接位置が第二カム斜面１６ｄ２から第二段部１６ｆ２に移った時点で回転カム１６は回転力を喪失し、それ以上は回転しなくなるため、ボールペンレフィル６０が更に没入した図１０の状態まで戻ることはない。
【００４４】
次に、第２ボールペンレフィル６０のボールペンチップ６１が先口３の前端開口部３ａから突出した図１２の状態で、筆記する際の状態を説明する。
図１３のように、紙面Ｈに対して傾斜した状態で繰出式筆記具１００を把持して通常の筆圧（約３Ｎ）で筆記すると、ボールペンチップ６１は軸方向に対して直交する方向（図１３の矢印Ｐ方向）に力を約１．５Ｎの力を受ける。この際、ボールペンチップ６１の外径寸法はボールペンチップ９の外径寸法より０．２ｍｍ小さいことから、スライド部材５の内周面とボールペンチップ６１との間には隙間Ｓ（０．１ｍｍ）が形成されるため、ボールペンチップ６１の前端傾斜部６１ａと前部内段５ｃとで当接するスライド部材５には前端傾斜部６１ａに沿って前方側へ約０．４Ｎの力が掛かる。
この時、スライド部材５は、第１ボールペンレフィル６が装着されていた場合と同様に筆記時では第１コイルスプリング１３により後方へ弾発力３．５Ｎで弾発されている。このため、筆圧が掛かっても第１コイルスプリング１３の弾発力によりスライド部材５が前進することはなく、ボールペンチップ６１をしっかり支持し、横方向（軸方向に対して直交する方向）に軸ぶれすることなく筆記を継続することができる。
【００４５】
尚、本実施例では、全長及びボールペンチップの外径寸法が異なる２種類のボールペンレフィルを出没自在に収納する回転繰出式筆記具を例示したが、回転カムの側面に繰出用カム斜面と長さ調整用カム斜面を納めることが可能であり、且つ、ボールペンチップの前端傾斜部がスライド部材の前部内段に当接可能に構成されていれば、３種類、５種類等、任意に選定して実施が可能である。
また、インキ収容筒に収納するインキも特に限定されることはなく、油性、水性、ゲルインキ等、任意に組合せることができる。尚、本実施例では便宜上、繰出用カム斜面を一定の長さとして操作性に変化を設けていないが、用いるレフィルの種類、例えば水性や水性ゲルは、ペン先が突出して衣服と接触すると衣服が汚れやすいため、繰出用カム斜面を長くして突出時の回転距離を長くする等、出没時に必要な回転距離に変化を持たせることもできる。
【符号の説明】
【００４６】
１…回転繰出式筆記具、
２…軸本体、２ａ…前方開口部、２ｂ…内周面、
３…先口、３ａ…内孔、３ａ１…前部内孔、３ａ２…後部内孔、３ｂ…内段部、
３ｃ…雄螺子部、３ｄ…前端開口部、
４…軸筒、
５…スライド部材、５ａ…前端開口部、５ｂ…後部外段、５ｃ…前部内段、
５ｄ…鍔部、５ｅ…後部、
６…第１ボールペンレフィル（筆記体）、
７…回転カム機構、
８…キャップ体、８ａ…内孔部、
９…ボールペンチップ、９ａ…前端傾斜部、
１０…インキ収容筒、
１１…チップホルダー、
１２…前方内筒、１２ａ…外周部、１２ｂ…雌螺子部、
１２ｃ…内段部（軸筒の前方内段部）、
１２ｄ…後部外周面、
１３…第１コイルスプリング、
１４…ストッパリング、１４ａ…内孔、１４ｂ…内突起、
１５…後方内筒、１５ａ…前端内周部、１５ｂ…スリット、１５ｃ…後段部、
１５ｃ…後部内段、
１６…回転カム、１６ａ…外段部、１６ｂ…突起部、１６ｃ…カム溝、
１６ｄ…繰出用カム斜面、１６ｄ１…第一カム斜面、１６ｄ２…第二カム斜面、
１６ｅ…長さ調整用カム斜面、１６ｆ…段部、１６ｆ１…第一段部、
１６ｆ２…第二段部、１６ｆ３…第三段部、
１７…摺動コマ、１７ａ…内方突起、１７ｂ…長孔部、１７ｃ…孔部、
１８…棒状ピン、１８ａ…カム突起、
１９…第２コイルスプリング（コイルスプリング）、
２０…固定リング、
２１…嵌合リング、
２２…摩擦体、
６０…第２ボールペンレフィル（他の筆記体）、
６１…ボールペンチップ、６１ａ…前端傾斜部
６２…インキ収容筒
１００…回転繰出式筆記具、
Ｈ…紙面。
【図１】
2019089271.tif 000003
【図２】
2019089271.tif 000004
【図３】
2019089271.tif 000005
【図４】
2019089271.tif 000006
【図５】
2019089271.tif 000007
【図６】
2019089271.tif 000008
【図７】
2019089271.tif 000009
【図８】
2019089271.tif 000010
【図９】
2019089271.tif 000011
【図１０】
2019089271.tif 000012
【図１１】
2019089271.tif 000013
【図１２】
2019089271.tif 000014
【図１３】
2019089271.tif 000015